(57)【要約】  本発明は、生体試料を測定する測定カセットに結合される試薬容器に関するものであって、本発明による試薬容器は、生体試料と反応する試薬が貯蔵される少なくとも一つの収容空間を備えた試薬貯蔵部と、少なくとも一つの収容空間を遮蔽して、これに収納される試薬を貯蔵し、測定カセットへの結合時に試薬を排出させる接着カバーと、を含むことを特徴とする。これにより、生体試料を測定する測定カセットに少なくとも一つの試薬を同時に自動で注ぐことができて、ユーザの作業介入及び必要な測定時間を最小化することができる。さらに、生体試料を測定する測定カセットの保管及び流通管理の難しさを解決することができる。
2010528315.tif 000002
【特許請求の範囲】
【請求項１】
生体試料を測定する測定カセットに結合される試薬容器において、
前記生体試料と反応する試薬が貯蔵される少なくとも一つの収容空間を備えた試薬貯蔵部と、
前記少なくとも一つの収容空間を遮蔽して、これに収納される試薬を貯蔵し、前記測定カセットへの結合時に前記試薬を排出させる接着カバーと、
を含むことを特徴とする試薬容器。
【請求項２】
前記試薬容器は、
前記試薬貯蔵部の終端に形成され、前記測定カセットに結合されるとき、前記測定カセットによって切断されるタップ部をさらに含み、
前記接着カバーは、前記測定カセットの結合時に前記切断されるタップ部によって剥がされて前記試薬を排出させることを特徴とする請求項１に記載の試薬容器。
【請求項３】
前記試薬容器は、
前記試薬容器の測定カセットへの結合時に前記測定カセットによって折れたタップ部を前記測定カセットに引っ掛かるようにする係止部材をさらに含むことを特徴とする請求項２に記載の試薬容器。
【請求項４】
前記試薬容器は、
前記タップ部に形成されるタップ突起と、
前記試薬容器の前記測定カセットへの結合時に前記タップ部が折れることによって前記タップ突起が挿入されて引っ掛かる係止溝と、
をさらに含むことを特徴とする請求項２に記載の試薬容器。
【請求項５】
前記試薬容器は、
取っ手をさらに含むことを特徴とする請求項１に記載の試薬容器。
【請求項６】
前記試薬容器は、
前記生体試料を注入するためのサンプル注入部をさらに含むことを特徴とする請求項１に記載の試薬容器。
【請求項７】
前記試薬容器は、
前記試薬貯蔵部と前記タップ部との間に形成されて複数の溝を有する切断部をさらに含むことを特徴とする請求項２に記載の試薬容器。
【請求項８】
前記試薬容器は、
少なくとも垂直方向の一面が傾斜面を成すことを特徴とする請求項１に記載の試薬容器。
【請求項９】
前記収容空間は、
前記試薬が隔離収容されるように互いに分離されて形成されることを特徴とする請求項１に記載の試薬容器。
【請求項１０】
前記サンプル注入部は、
前記試薬貯蔵部より下部に位置することを特徴とする請求項６に記載の試薬容器。
【発明の詳細な説明】
【技術分野】
【０００１】
本発明は、試薬容器に係り、より詳細には、生体試料を測定する測定カセットに結合される試薬容器に関する。
【背景技術】
【０００２】
最近、医学的診断、薬物を通じる治療、有害な化学物質の判断分野などで分析物質の濃度測定が有用に使われている。この際、生理学的生体試料の濃度測定は、検査結果が各種の疾患状態の診断及び管理と連結されるという点で、その重要性がさらに大きい。検査分野も臨床的実験室用検査、家庭用検査などを含んで多様である。例えば、血液サンプル内の糖化ヘモグロビン（ｇｌｙｃａｔｅｄ  Ｈｅｍｏｇｌｏｂｉｎ、ＨｂＡ１ｃ）のような分析物質測定を通じて糖尿病の診断及び管理をすることができる。
【０００３】
この際、生体試料の分析物質測定のために分析物質と特異的に結合する試薬を通じて反応、撹拌または洗浄のような一連の化学的過程が起こるようにできる。ここで、測定しようとする分析物質と結合する試料は、測定装置内に含まれるか別途の容器内に含まれうる。ところで、試料が測定装置内に含まれる場合、一定期間測定装置内の試料が変質されないように保管しにくく、流通上にも難しい問題点がある。
【０００４】
一方、試料を別途の試薬容器を通じて注入される場合、試料を収容する容器は、ガラスまたは熱可塑性プラスチック素材の形態であり得る。ガラス瓶の場合、相対的に高価で割れやすく、正確な分析物質測定のために瓶の分裂を感知する手続きが必要である。一方、熱可塑性プラスチックは、ガラスよりさらに軽くて安いために試薬容器として多く使われる。
【０００５】
別途の容器を通じて試薬が測定装置に移動する場合、容器は、生体試料と特異的に反応する試料を貯蔵することができる。例えば、血液内の糖化ヘモグロビンの量を測定するために、試薬容器は糖化ヘモグロビンと特異的に反応する結合物質を貯蔵することができる。
【０００６】
ところで、この過程でユーザは、糖化ヘモグロビンと特異的に結合する試料のそれぞれを貯蔵することができる試薬容器をそれぞれ別途に備えなければならない。また、ユーザが、一定の時間間隔を置いて複数の試薬容器に収容された試薬をそれぞれ測定装置に手作業で注がなければならない過程が必要である。特に、複数の試薬容器は、真空管形態であり得るので、いちいち真空管を開閉させて試薬を注がなければならない。
【０００７】
このような作業は、測定者にいくつかの段階の直接的な介入を要求するので、測定者は煩わしさを感じる。また、測定者の介入は、測定過程を複雑にして測定時間を遅延させる問題点がある。
【発明の概要】
【発明が解決しようとする課題】
【０００８】
本発明は、前述したような背景技術の問題点を解決するために発明されたものであって、生体試料を測定する測定カセットに挿入される作業のみで少なくとも一つの試薬を同時に自動で測定カセットに移動させて、ユーザの作業介入を最小化することができる試薬容器を提供することを目的とする。
【０００９】
さらに、別途の試薬容器を通じて試薬を注入できるようにすることで、生体試料を測定する測定カセットの保管及び流通上の問題を解決することができる試薬容器を提供することを目的とする。
【課題を解決するための手段】
【００１０】
前述した目的を果たすための本発明は、生体試料を測定する測定カセットに結合されるとき、少なくとも一つの試薬を自動で同時に移送させることができる試薬容器を提案する。
【００１１】
より具体的には、本発明の一態様によれば、前述した目的は、生体試料と反応する試薬が貯蔵される少なくとも一つの収容空間を備えた試薬貯蔵部と、少なくとも一つの収容空間を遮蔽して、これに収納される試薬を貯蔵し、測定カセットへの結合時に試薬を排出させる接着カバーと、を含むことを特徴とする試薬容器によって達成される。
【００１２】
この際、試薬容器は、試薬貯蔵部の終端に形成され、測定カセットに結合されるとき、測定カセットによって切断されるタップ部をさらに含み、タップ部に形成されるタップ突起及びタップ部が折れることによってタップ突起が挿入されて引っ掛かる係止溝をさらに含みうる。
【００１３】
さらに、試薬容器は、血液または小便を含む生体試料を注入するためのサンプル注入部をさらに含むことが望ましく、収容空間は、試薬が隔離収容されるように互いに分離されて形成される。
【発明の効果】
【００１４】
本発明によれば、測定カセットに複数の試薬を同時に自動で注ぐことができて、ユーザの作業介入及び必要な測定時間を最小化することができる試薬容器が提供される。
【００１５】
すなわち、試薬が、貯蔵された試薬容器を測定カセットに挿入する作業のみでも少なくとも一つの試薬が同時に測定カセットに流入されるので、簡便な操作が可能で測定時間が短縮される。ここで、試薬容器が測定カセットに挿入されるとき、自動でカバーが剥がされて試薬を移動させてユーザの作業介入を減らしうる。したがって、測定者が生体試料の量を測定するために、一定の時間間隔を置いてサンプルと反応する複数の試薬を順次にいちいち測定カセットに注入する必要がない。
【００１６】
さらに、本発明は、測定カセット内に試薬が存在するとき、発生しやすい変質危険による流通上の問題または測定カセットの保管問題などを解消することができる。また、別途の試薬容器を通じて試薬を保管することによって、測定カセットを小型化させることができる。それだけではなく、生体試料の定量分析のために正確な量の試薬を測定カセットに注ぐことができる。
【００１７】
一方、本発明による試薬容器は、サンプル注入部をさらに含んでサンプル注入部と試薬貯蔵空間とが同時に存在する一体型であり得る。したがって、試薬容器を通じて少なくとも一つの試薬と生体試料サンプルとが同時に測定カセットに移送されて反応させることができる。
【図面の簡単な説明】
【００１８】
【図１】本発明の一実施形態による試薬容器及び測定カセットの外形図である。
【図２】本発明の一実施形態による試薬容器の外形図である。
【図３】図２の試薬容器の断面図である。
【図４】図２の試薬容器の側面図である。
【図５】図２の試薬容器の背面図である。
【図６】本発明の一実施形態による試薬容器のカバー状を示した断面図である。
【図７】本発明の一実施形態による試薬容器のタップ部が折れる形状を説明するための例示図である。
【図８】本発明の一実施形態による試薬容器の測定カセット挿入による形状を説明するための例示図である。
【図９】本発明の一実施形態による試薬容器の測定カセット挿入による形状を説明するための例示図である。
【発明を実施するための形態】
【００１９】
以下、添付した図面を参照して、本発明の望ましい実施形態を詳しく説明する。本発明を説明するに当たって、関連した公知機能または構成についての具体的な説明が、本発明の要旨を不明にする恐れがあると判断される場合には、その詳細な説明を省略する。また、後述する用語は、本発明での機能を考慮して定義された用語であって、これは、ユーザ、運用者の意図または慣例などによって変わりうる。したがって、その定義は、本明細書全般に亘った内容に基づいて下さなければならない。
【００２０】
図１は、本発明の一実施形態による試薬容器１０及び測定カセット２０の外形図である。
【００２１】
図１によれば、測定カセット２０は、液状生体試料の測定に利用されうる。この際、液状生体試料は、人体から採取したテストサンプルである。例えば、生体試料は、血液、小便、血漿、膓液、大脳液、脊髓液、唾液などを含む人体分泌物であり得る。しかし、液状生体試料は、これに限定されものではない。
【００２２】
特に、本発明の一実施形態による測定カセット２０は、血液内の糖化ヘモグロビン（ＨｂＡ１ｃ）の量の測定に有用に利用されうる。敷衍すれば、糖化ヘモグロビンは、ヘモグロビン（Ｈｅｍｏｇｌｏｂｉｎ）中の一つであって、人の赤血球（Ｒｅｄ  Ｂｌｏｏｄ  Ｃｅｌｌ）に入っている。この際、血液内の血糖（葡萄糖）が上昇すれば、血液内の葡萄糖の一部がヘモグロビンに結合する。このように葡萄糖と結合したヘモグロビン（Ｈｅｍｏｇｌｏｂｉｎ）を糖化ヘモグロビン（ｇｌｙｃａｔｅｄ  Ｈｅｍｏｇｌｏｂｉｎ）と言い、ヘモグロビンエィワンシー（ＨｂＡ１ｃ）とも呼ぶ。ここで、糖化ヘモグロビン検査を通じて血糖を測定することができるが、糖化ヘモグロビン検査は、食事時間と無関係に採血して検査することができる長所を有する。
【００２３】
試薬容器１０は、測定カセット２０が液状生体試料を測定できるように液状生体試料と反応する試薬を別途に保管する容器である。ここで、試薬容器１０は、プラスチック素材であり得る。試薬容器１０についての詳細な説明は、以下図面で後述する。
【００２４】
一方、測定カセット２０は、試薬容器１０から試薬及び／またはサンプルを移送されて、該移送された試薬及び／またはサンプルが結合した反応物から反応または定量測定がなされうる。
【００２５】
具体的に、本発明の一実施形態による測定カセット２０は、試薬容器１０を通じて少なくとも一つの試薬を収容することができる。例えば、測定カセット２０を通じて血液サンプル内の糖化ヘモグロビンの量を測定する場合、測定カセット２０に結合される試薬容器１０から少なくとも一つの試薬を移動されることができる。この際、移送された試薬と結合した血液サンプルから糖化ヘモグロビンの量を測定することができる。
【００２６】
さらに、測定カセット２０は、このような方式で血液サンプル内の糖化ヘモグロビンを測定できるだけではなく、小便のマイクロアルブミン（ｍｉｃｒｏａｌｂｕｍｉｎｅ）／クレアチニン（ｃｒｅａｔｉｎｉｎｅ）の量を測定することもできる。この際、マイクロアルブミン／クレアチニンの定量を分析することで、糖尿病による合併症の診断及び管理が可能である。しかし、測定することができる生体試料は、糖化ヘモグロビンまたはマイクロアルブミン／クレアチニンに限定されず、当業界で広く測定される多様な種類の生体試料をいずれも含むように、本発明が具現可能であるということは、当業者において自明である。
【００２７】
図２ないし図５は、眺める角度によって見える試薬容器１０の形状を示した図面である。
【００２８】
図２は、試薬容器１０の外観図であり、図３は、図２の試薬容器１０の断面図である。
【００２９】
試薬容器１０は、試薬貯蔵部１００及び接着カバー（図６の１２０）を含む。さらに、試薬容器１０は、タップ部１１０、係止部材１３０、タップ突起１４０、サンプル注入部１５０、切断部１６０、カセット係止突起（図５の１７０）及び取っ手１８０をさらに含みうる。
【００３０】
ここで、試薬貯蔵部１００は、試薬が貯蔵される少なくとも一つの収容空間を備える。接着カバー（図６の１２０）は、試薬貯蔵部１００に備えられた空間を遮蔽して、これに収納される試薬を貯蔵する。そして、測定カセット２０への結合時に切断されるタップ部１１０によって剥がされて試薬を排出させうる。
【００３１】
以下、試薬容器１０の構成について詳しく説明する。
【００３２】
試薬貯蔵部１００は、試薬が貯蔵される少なくとも一つの収容空間を含む。すなわち、試薬貯蔵部１００は、試薬を貯蔵することができる一つの収容空間を含むか、複数の収容空間を含みうる。例えば、血液サンプル内の糖化ヘモグロビンの量を測定しようとする場合、試薬貯蔵部１００は、図２のように第１収容空間１０２及び第２収容空間１０４を含むことが望ましい。
【００３３】
以下、本発明の一実施形態によって血液サンプル内の糖化ヘモグロビンの量を測定しようとするとき、試薬貯蔵部１００に貯蔵されることができる試薬について詳しく説明する。
【００３４】
糖化ヘモグロビンの量を測定するとき、試薬貯蔵部１００の第１収容空間１０２は、第１試薬を貯蔵する。この際、血液サンプルは、試薬容器１０を通じて注がれた第１試薬と測定カセット２０から反応し、第１試薬と反応した血液サンプルからヘモグロビンの総量を測定することができる。第１試薬は、血液サンプルを溶血させる溶血液及び糖化ヘモグロビンと選択的に反応する糖化ヘモグロビン結合物質‐ビーズであり得る。
【００３５】
具体的に、溶血液は、界面活性剤が入っている緩衝溶液であって、例えば、２０ｍＭヘペス緩衝溶液（Ｎ−２−Ｈｙｄｒｏｘｙｅｔｈｙｌｐｉｐｅｒａｚｉｎｅ−Ｎ’−２−ｅｔｈａｎｅｓｕｌｆｏｎｉｃ  Ａｃｉｄ  ＨＥＰＥＳ；ｐＨ８．１）であり得る。糖化ヘモグロビン結合物質は、糖化ヘモグロビンと特異的に結合することができる物質である。例えば、ボロン酸（ｂｏｒｏｎｉｃ  ａｃｉｄ、ＢＡ）、コンカナバリンＡ（ｃｏｎｃａｎａｖａｌｉｎ  Ａ、Ｌｅｃｔｉｎ）、抗体（ａｎｔｉｂｏｄｙ）のうち何れか一つであり得る。最後に、ビーズ（ｂｅａｄ）は、アガロース（ａｇａｒｏｓｅ）やセルロース（ｃｅｌｌｕｌｏｓｅ）またはセルファロース（ｓｅｐｈａｒｏｓｅ）のような高分子多糖類支持体、ポリスチレン（ｐｏｌｙｓｔｙｒｅｎｅ）、ポリメチルメタアクリレート（ｐｏｌｙｍｅｔｈｙｌｍｅｔｈａｃｒｙｌａｔｅ）、ポリビニルトルエン（ｐｏｌｙｖｉｎｙｌｔｏｌｕｎｅ）のようなラテックス（ｌａｔｅｘ）ビーズまたはガラス（ｇｌａｓｓ）ビーズのうち何れか一つであり得る。
【００３６】
一方、試薬貯蔵部１００の第２収容空間１０４は、第２試薬を貯蔵する。この際、第２試薬は、第１試薬と血液サンプルの混合物を洗浄することができる洗浄溶液とを含んだ試薬であり得る。
【００３７】
敷衍すれば、血液サンプルの赤血球内に存在するヘモグロビン（Ｈｂ）は、大部分非糖化された一般ヘモグロビン（Ａｏ）である。この際、一般ヘモグロビンのうち４〜１４％のみがグルコース（ｇｌｕｃｏｓｅ）と反応して、糖化されたヘモグロビン（ＨｂＡ１ｃ）で存在する。したがって、第１試薬を通じて血液サンプルと反応した糖化ヘモグロビン結合物質−ビーズは、糖化されたヘモグロビンだけではなく、一般ヘモグロビンを含む。したがって、血液内の糖化されたヘモグロビンを測定するためには、一般ヘモグロビンを除去しなければならない。このために、第２試薬は、一般ヘモグロビンを洗浄することができる洗浄溶液を含むことが望ましい。
【００３８】
この際、図３のように、本発明の一実施形態による試薬貯蔵部１００は、第１収容空間１０２及び第２収容空間１０４を通じて収容空間を分離して、第１試薬及び第２試薬を隔離収容することができる。これにより、貯蔵された試薬容器１０を測定カセット２０に挿入する作業のみで、複数の試薬を同時にそれぞれ測定カセット２０の他の部分に流入させることができる。これは、それぞれの試薬を測定カセット２０の他の領域に収容させて反応物の反応または検出がなされるようにするためである。したがって、測定者が生体試料の量を測定するために、サンプルと反応する複数の試薬を一定の時間間隔を置いていちいち測定カセット２０に注入する必要がない。
【００３９】
接着カバー（図６の１２０）は、試薬貯蔵部１００に備えられた収容空間を遮蔽して、これに収納される試薬を貯蔵する。この際、接着カバー（図６の１２０）は、少なくとも一つの試薬が流出されないように試薬貯蔵部１００の収容空間を密封する。接着カバー（図６の１２０）は、ビニール膜、銀箔紙、銀紙を含んだ薄いホイル形式であることが望ましい。この際、接着カバー（図６の１２０）は、接着剤によって接着されることができる。
【００４０】
さらに、試薬容器１０が測定カセット２０に結合されるとき、タップ部１１０が切断されて測定カセット２０がさらに挿入されれば、接着カバー（図６の１２０）が自動で剥がされる。これにより、試薬貯蔵部１００に貯蔵された試薬を測定カセット２０に排出させることができる。したがって、ユーザは、試薬の貯蔵された試薬容器１０をいちいち開閉させて試薬を測定カセット２０に注ぐ必要がない。
【００４１】
タップ部１１０は、試薬容器１０の測定カセット２０への挿入時に折れることができる。この際、測定カセット２０がさらに挿入されれば、測定カセット２０によって切断されることが望ましい。ここで、切断部１６０は、試薬貯蔵部１００とタップ部１１０との間に形成されて複数の溝を備える。したがって、タップ部１００の折れを容易にして測定カセット２０への結合時にタップ部１１０を切断させる。
【００４２】
一方、係止部材１３０は、試薬容器１０の測定カセット２０への結合時に折れたタップ部１１０が測定カセット２０の試薬容器係止片２１０によって引っ掛かるようにできる。これは、タップ部１１０が、試薬容器係止片２１０に引っ掛かって試薬容器１０を測定カセット２０にさらに挿入したとき、タップ部１１０を切断させて、接着カバー（図６の１２０）を剥がすためである。これにより、タップ部１１０の折れ及び切断によって接着カバー（図６の１２０）が自動で剥がされて試薬が測定カセット２０に注がれることができる。したがって、ユーザは、試薬容器１０の挿入のみでも試薬が測定カセット２０に自動で移動させうる。
【００４３】
タップ突起１４０は、タップ部１１０に位置する。試薬容器１０の挿入時に試薬容器係止片２１０によって係止部材１３０が引っ掛かったとき、タップ突起１４０は係止溝１４２に挿入されて引っ掛かることができる。これにより、折れたタップ部１１０の搖れを難しくすることができる。
【００４４】
一方、本発明の一実施形態による試薬容器１０は、生体試料を注入されるサンプル注入部１５０を含みうる。これにより、サンプル注入部１５０が結合された一体型試薬容器１０を具現することができる。特に、サンプル注入部１５０は、サンプルを吸収する毛細管現象がよく起きるように端部の内径を細く製作することが望ましい。また、サンプル注入部１５０は、試薬貯蔵部１００より下部に位置して、サンプル注入部１５０が採取したサンプルが試薬容器１０から注がれた試薬と直ちに反応するように構成することができる。一方、取っ手１８０は、試薬容器１０の使用を便利にさせるための手段である。
【００４５】
図４は、図２の試薬容器１０の側面図である。
【００４６】
図４によれば、試薬容器１０の少なくとも垂直方向の一面が傾斜面を成すことが望ましい。すなわち、試薬容器１０の下部に行くほど測定カセット２０の壁面と距離間隔が次第に広くなる傾斜面であり得る。これにより、試薬容器１０の測定カセット２０への結合時に試薬貯蔵部１００内の試薬が測定カセット２０にさらによく流れるように誘導することができる。
【００４７】
一方、図５は、図２の試薬容器１０の背面図である。
【００４８】
図５によれば、試薬容器１０は、背面にカセット係止突起１７０を含みうる。カセット係止突起１７０は、試薬容器１０の測定カセット２０への結合時に接着カバー（図６の１２０）が自動で剥がされて試薬が測定カセット２０にすべて注がれるほどに挿入されれば、追加の挿入を防止する役割を果たす。ここで、カセット係止突起１７０は、測定カセット２０に引っ掛かって試薬容器１０を固定させることができる。
【００４９】
図６は、本発明の一実施形態による試薬容器１０の接着カバー１２０の形状を示した断面図である。
【００５０】
図６によれば、接着カバー１２０は、試薬容器１０の試薬貯蔵部１００の少なくとも一つの試薬を遮蔽させる。このために、接着カバー１２０は、裏面に接着剤を塗った後に熱融着することが望ましい。このような過程を経た接着カバー１２０を試薬貯蔵部１００に接触させて試薬の流出を遮断することができる。
【００５１】
図７は、本発明の一実施形態による試薬容器１０のタップ部１１０が折れる形状を説明するための例示図である。
【００５２】
図７によれば、試薬容器１０は、タップ突起１４０及び係止溝１４２を含みうる。この際、タップ突起１４０は、タップ部１１０に形成される。試薬容器１０の測定カセット２０への結合時にタップ部１１０が折れることによってタップ部１１０と対応する係止溝１４２に引っ掛かることができる。これにより、タップ部１１０が折れた場合、タップ部１１０が搖れないように固定させることができる。
【００５３】
一方、図８及び図９は、本発明の一実施形態による試薬容器１０の測定カセット２０挿入による形状を説明するための例示図である。
【００５４】
図８によれば、試薬容器１０が測定カセット２０に挿入時にタップ部１１０が折れ、試薬容器１０の係止部材１３０が測定カセット２０の試薬容器係止片２１０に引っ掛かることができる。
【００５５】
ここで、図９のように試薬容器１０がさらに挿入されれば、試薬容器係止片２１０に引っ掛かったタップ部１１０が切断され、試薬貯蔵部１００を遮蔽する接着カバー（図６の１２０）が剥がされる。この際、接着カバー（図６の１２０）は、試薬貯蔵部１００内の少なくとも一つの試薬を十分に流出させる範囲内で剥がされることが望ましい。また、試薬がよく流れるように試薬容器１０の少なくとも垂直方向の一面が傾斜面を成すことが望ましい。さらに、一定範囲内で接着カバー（図６の１２０）が剥がされれば、試薬容器１０のカセット係止突起１７０が測定カセット２０に引っ掛かってさらなる試薬容器１０の挿入が遮断される。
【００５６】
要約すれば、図８及び図９のように、本発明の一実施形態による試薬容器１０は、試薬容器１０が測定カセット２０に挿入されるとき、試薬容器１０の接着カバー（図６の１２０）が自動で剥がされて試薬が測定カセット２０に移動することができる。これにより、ユーザは、試薬容器１０を測定カセット２０に挿入する作業のみでも少なくとも一つの試薬を同時に自動で測定カセット２０に注がれるように操作することができる。
【００５７】
以上、本発明についてその望ましい実施形態を中心に説明した。当業者は、本発明の本質的な特性から外れない範囲で変形された形態として具現可能であるということを理解できるであろう。したがって、開示された実施形態は限定的な観点ではなく、説明的な観点で考慮されなければならない。本発明の範囲は、特許請求の範囲に表われており、それと同等な範囲内にあるあらゆる差点は、本発明に含まれたものと解析されなければならない。
【産業上の利用可能性】
【００５８】
本発明は、生体試料を測定する測定カセットに結合される試薬容器関連の技術分野に適用可能である。
【符号の説明】
【００５９】
１０    試薬容器
２０    測定カセット
１００  試薬貯蔵部
１０２  第１収容空間
１０４  第２収容空間
１１０  タップ部
１２０  接着カバー
１３０  係止部材
１４０  タップ突起
１４２  係止溝
１５０  サンプル注入部
１６０  切断部
１７０  カセット係止突起
１８０  取っ手
２１０  試薬容器係止片
【図１】
2010528315.tif 000003
【図２】
2010528315.tif 000004
【図３】
2010528315.tif 000005
【図４】
2010528315.tif 000006
【図５】
2010528315.tif 000007
【図６】
2010528315.tif 000008
【図７】
2010528315.tif 000009
【図８】
2010528315.tif 000010
【図９】
2010528315.tif 000011
【国際調査報告】
2010528315.tif 000012
2010528315.tif 000013